(57)【要約】【課題】ケースの底面に設けた安全弁の作動時に、安全弁の膨れによってケースが取付具から外れることを防止し、また、ケースの底面に設けた安全弁の機能を充分に発揮し、電解コンデンサをプリント基板に横向きとして簡単に取り付けることができるようにした電解コンデンサ用取付具およびそれを用いた電解コンデンサを提供する。【解決手段】ケース９の一方の底面に安全弁を有する電解コンデンサ７を、プリント基板８に横向きとして取り付けるための電解コンデンサ用取付具１であって、ケース９の底面側に外嵌される取付具本体２と、少なくとも安全弁と離間して対向するように設けられた壁面４と、この壁面４と取付具本体２とをつなぐ連接部３と、この取付具１からプリント基板８に設けた取付孔１５に嵌合させる固定片５と、を備えるものとする。【選択図】図８
2012069726.tif 000002
【特許請求の範囲】
【請求項１】
ケースの一方の底面に安全弁を有する電解コンデンサを、プリント基板に横向きとして取り付けるための電解コンデンサ用取付具であって、
ケースの底面側に外嵌される取付具本体と、少なくとも前記安全弁と離間して対向するように設けられた壁面と、この壁面と取付具本体とをつなぐ連接部と、この取付具から前記プリント基板に設けた取付孔に嵌合させる固定片と、を備えることを特徴とする電解コンデンサ用取付具。
【請求項２】
取付具本体に、ケースの底面に当接する内向きの当接片を設けたことを特徴とする請求項１に記載の電解コンデンサ用取付具。
【請求項３】
請求項１または２に記載の電解コンデンサ用取付具を用いたことを特徴とする電解コンデンサ。
【発明の詳細な説明】
【技術分野】
【０００１】
本発明は、電解コンデンサをプリント基板に横向きとして取り付けるための取付具およびそれを用いた電解コンデンサに関する。
【背景技術】
【０００２】
電子機器等に用いられるプリント基板に円筒形をなす電解コンデンサを取り付ける際は、プリント基板の上下寸法を小として、電子機器の小型、軽量化を図るために、電解コンデンサを横向き、すなわち水平に取り付けるのが主流となってきている。このように、電解コンデンサをプリント基板に横向きとして取り付ける従来の取付具（取付装置）としては、例えば、特許文献１に記載されているものが知られている。
【先行技術文献】
【特許文献】
【０００３】
【特許文献１】実開昭５０−１４９８４６号公報
【発明の概要】
【発明が解決しようとする課題】
【０００４】
この特許文献１に記載されているものは、取付装置の挿入口を、電解コンデンサにおけるリード端子と反対側の底面に嵌合したのち、この取付装置の止め部をプリント基板の穴に挿入することにより、電解コンデンサをプリント基板に横向きとして取り付けるようにしたものである。
【０００５】
ところで、電解コンデンサは、密封されたケース内のコンデンサ素子に電解液を含浸させたり、コンデンサ素子の長寿命化を図るために、ケース内に所定量の電解液を封入したりしており、長期間使用すると、これらの電解液の化学反応により、ケース内にガスが発生することがある。このガスによりケースの内圧が上昇すると、ケース底面が破損し、電解液が周囲に飛散して他の電子部品を損傷させる恐れがある。
【０００６】
これを防止するために、例えば、ケースの一部を薄肉とするなどした安全弁を設け、ケースの内圧が上昇した際には、ケースの薄肉部を外方に膨らませて、安全弁を開口し、ケース内のガスを外部に放出することにより、ケースが破損するのを防止するようにしている。このような安全弁は、ケースにおけるリード端子導出部と反対側の底面に設けるのが一般的であり、前述の特許文献１のように、取付装置を、リード端子と反対側の底面に、底面と当接するように取り付けると、ケース底面に設けた安全弁を塞いでしまうこととなる。このようになると、安全弁がその機能を充分に発揮しないおそれがあり、また、安全弁が作動した場合においては、安全弁の膨れによってケースが取付装置から外れてしまうおそれがある。
【０００７】
本発明は、このような問題点に着目してなされたもので、ケースが安全弁作動時の安全弁の膨れによって取付具から外れることを防止し、また、ケースの底面に設けた安全弁の機能を充分に発揮し、電解コンデンサをプリント基板に横向きとして簡単に取り付けることができるようにした電解コンデンサ用取付具およびそれを用いた電解コンデンサを提供することを目的としている。
【課題を解決するための手段】
【０００８】
前記課題を解決するために、本発明の電解コンデンサ用取付具は、
ケースの一方の底面に安全弁を有する電解コンデンサを、プリント基板に横向きとして取り付けるための電解コンデンサ用取付具であって、
ケースの底面側に外嵌される取付具本体と、少なくとも前記安全弁と離間して対向するように設けられた壁面と、この壁面と取付具本体とをつなぐ連接部と、この取付具から前記プリント基板に設けた取付孔に嵌合させる固定片と、を備えることを特徴としている。
この特徴によれば、取付具の壁面は、ケースの底面の安全弁と離間して対向し、ケースの底面と壁面との対向面間には空間が形成されるので、ケースに取付具を取り付けても、安全弁が取付具により塞がれることはなく、安全弁の機能を充分に発揮することができる。すなわち、安全弁作動時の安全弁の膨れによってケースが取付具から外れることを防止し、更に、安全弁と壁面との間には空間が形成されているので、安全弁は外方に自由に膨らんで開口することができ、従ってケース内に発生したガスを支障なく放出することができる。また、安全弁と対向する位置に取付具の壁面が位置しているので、安全弁が開口して、ケース内の電解液が吐出しても、壁面により受け止められ、電解液が広範囲に飛散するのが防止される。更に、取付具の固定片をプリント基板に設けた取付孔に嵌合して固定するだけで、電解コンデンサを、プリント基板に横向きとして簡単に取り付けることができるとともに、電解コンデンサの振動を抑制することもできる。
【０００９】
本発明の電解コンデンサ用取付具は、
取付具本体に、ケースの底面に当接する内向きの当接片を設けたことを特徴としている。
この特徴によれば、当接片がケースの底面と当接することにより、取付具本体を、ケース側面の定位置に位置決めして簡単に外嵌することができるので、ケースの底面と壁面との対向面間には、所要の空間が形成される。
【００１０】
本発明の電解コンデンサは、
ケースの一方の底面に安全弁を有する電解コンデンサを、プリント基板に横向きとして取り付けるための電解コンデンサ用取付具を用いた電解コンデンサであって、
ケースの底面側に外嵌される取付具本体と、少なくとも前記安全弁と離間して対向するように設けられた壁面と、この壁面と取付具本体とをつなぐ連接部と、この取付具から前記プリント基板に設けた取付孔に嵌合させる固定片と、を備える電解コンデンサ用取付具を用いたことを特徴としている。
この特徴によれば、取付具の壁面は、ケースの底面の安全弁と離間して対向し、ケースの底面と壁面の対向面間には空間が形成されるので、ケースに取付具を取り付けても、安全弁が取付具により塞がれることはなく、安全弁の機能を充分に発揮することができる。すなわち、安全弁作動時の安全弁の膨れによってケースが取付具から外れることを防止し、更に、安全弁と壁面との間には空間が形成されているので、安全弁は外方に自由に膨らんで開口することができ、従ってケース内に発生したガスを支障なく放出することができる。また、安全弁と対向する位置に取付具の壁面が位置しているので、安全弁が開口して、ケース内の電解液が吐出しても、壁面により受け止められ、電解液が広範囲に飛散するのが防止される。更に、取付具の固定片をプリント基板に設けた取付孔に嵌合して固定するだけで、電解コンデンサを、プリント基板に横向きとして簡単に取り付けることができるとともに、電解コンデンサの振動を抑制することもできる。
【００１１】
本発明の電解コンデンサは、
取付具本体に、ケース底面に当接する内向きの当接片を設けた電解コンデンサ用取付具を用いることを特徴としている。
この特徴によれば、当接片がケースの底面と当接することにより、取付具本体を、ケース側面の定位置に位置決めして簡単に外嵌することができるので、ケースの底面と壁面との対向面間には、所要の空間が形成される。
【図面の簡単な説明】
【００１２】
【図１】実施例１における電解コンデンサ用取付具を示す正面図である。
【図２】電解コンデンサ用取付具を示す平面図である。
【図３】電解コンデンサ用取付具を示す側面図である。
【図４】電解コンデンサ用取付具を上下反転させて斜め上方より見た状態を示す拡大斜視図である。
【図５】プリント基板への電解コンデンサ取り付け前の状態を示す斜視図である。
【図６】電解コンデンサの一部を安全弁を有する側より見た状態を示す斜視図である。
【図７】プリント基板に電解コンデンサを取り付けた状態を示す斜視図である。
【図８】図７のＡ−Ａ線に沿う拡大縦断正面図である。
【図９】実施例２における取付具を上下反転させて斜め上方より見た状態を示す拡大斜視図である。
【図１０】実施例３における取付具を上下反転させて斜め上方より見た状態を示す斜視図である。
【図１１】プリント基板に電解コンデンサを取り付けた状態を示す要部の縦断面図である。
【発明を実施するための形態】
【００１３】
本発明に係る電解コンデンサ用取付具およびそれを用いた電解コンデンサを実施するための形態を実施例に基づいて以下に説明する。
【実施例１】
【００１４】
図１から図４に示すように、取付具１は、電解コンデンサ７の円筒形をなすケース９における安全弁１２を有する側の底面に外嵌される取付具本体２と、取付具本体２の外端面の上下方向の中央部より外側方に延出する一対の連接部３，３と、両連接部３の側端に一体的に連設され、ケース９の底面の安全弁と対向するようにした壁面４と、この壁面４の下面の中央部に下向き突設された、下端に外向きの係止片５ａを有する正面視Ｌ字状をなす固定片５とを備え、取付具１全体は、ステンレスや鋼（例えば、炭素鋼等）等の金属または合成樹脂等により一体成形されている。
【００１５】
取付具本体２は、電解コンデンサ７のケース９の外周面（外面）の対向する位置に外嵌される側面視円弧状の一対の嵌合板２ａ，２ａよりなり、両嵌合板２ａの外側端の上下の端部には、ケース９の底面に当接する当接片６が内向きに突設されている。両連接部３と壁面４の平面形はコ字状をなしている。これにより、両嵌合板２ａは、壁面４の両端部を中心として拡径方向に弾性変形しうるようになっている。すなわち、両嵌合板２ａの対向面間の寸法（内径）を、電解コンデンサ７のケース９の外径よりも若干小とすることにより、両嵌合板２ａを拡径方向に弾性変形させてケース９に外嵌させうるようにしてあるため、取付具を安定よくケースに取り付けることができる。
【００１６】
次に、図５から図８を参照して、前述した実施例の取付具１により、電解コンデンサ７をプリント基板８に横向きとして取り付ける要領について説明する。電解コンデンサ６におけるケース９の一方（左方）の端面からは、リード端子１０，１０が下向きに導出されている。また、図６に示すように、ケース９の他方（右方）の端面である底面には、その中央部付近において略十字形に交差する複数の線状の薄肉部１１を形成することにより、ケース９内に発生したガスの圧力が一定以上に高まったとき、ケース９の側面の中央部を外側方に膨らませて開口し、内部のガスを放出するための安全弁１２が設けられている。
【００１７】
プリント基板８には、前述のケース９の下端部が嵌合される左右方向を向く長孔１３と、ケース９の側面に外嵌される取付具１の下端部が嵌合される、長孔１３よりも幅広の嵌合孔１４と、取付具１の固定片５が嵌合される取付孔１５とが、互いに連続するようにして形成されている。また、プリント基板８の左端部には、リード端子１０を挿入し、プリント基板８の裏面に半田付けして固定するための円孔１６，１６が穿設されている。
【００１８】
プリント基板８に、電解コンデンサ７を横向きとして取り付けるには、先ず、図５に示すように、電解コンデンサ７のケース９における安全弁１２を有する側の側面に、取付具１の前後の嵌合板２ａ，２ａを、４個の当接片６がケース９の底面と当接するまで外嵌する。この際、前述したように、両嵌合板２ａの対向面間の寸法を、ケース９の外径よりも若干小さくし、両嵌合板２ａを拡径方向に弾性変形させつつ、ケース９に嵌合することにより、両嵌合板２ａは、その弾性反発力と摩擦力によりケース９より抜け止めされ、取付具１をケース９に安定よく取り付けることができる。
【００１９】
本実施例では、嵌合板２ａが、プリント基板を基準にした状態で、側面のみに嵌合されているので、コンデンサ取付具の厚みによりコンデンサ取り付け高さが高くなることはない。なお、嵌合板２ａ，２ａは、ケース９の全周囲に設けられておらず、上下に切り欠きを有していることで、取付具１を用いたときのコンデンサの高さ寸法（厚み寸法）が低減できるようになっている（図３参照）。また、両嵌合板２ａの嵌合時において、４個の当接片６がケース９の底面と当接することにより、両嵌合板２ａをケース９の側面の定位置に簡単に位置決めして外嵌することができる。
【００２０】
次いで、取付具１の固定片５を、プリント基板８の取付孔１５に嵌合し、図８に示すように、固定片５の下端の外向きの係止片５ａを、プリント基板８の裏面に係止させながら、左右の嵌合板２ａとケース９の下端部を、それぞれ嵌合孔１４と長孔１３に嵌合させる。またこれと同時に、リード端子１０，１０を、プリント基板８の左端部の円孔１６，１６に挿入し、リード端子１０の突出端部を、プリント基板８の裏面に半田付けして固定する。
【００２１】
これにより、プリント基板８の上面に電解コンデンサ７が横向きとして安定よく取り付けられるとともに、ケース９と嵌合板２ａの下端部が長孔１３と嵌合孔１４に嵌合されているので、電解コンデンサ７の取り付け高さも低くなる。また、取付具１の固定片５を取付孔１５に嵌合して、その係止片５ａをプリント基板８の裏面に係止するだけで、電解コンデンサ７を横向きとして簡単に取り付けることができる。更に、固定片５により取付具１とともに電解コンデンサ７の振動も抑制されるようになる。
【００２２】
なお、取付具１全体をステンレスや鋼等の金属により成形したり、これらの金属にスズ、ビスマス、三価クロム、ニッケル等でめっき処理した際には、固定片５の係止片５ａを、プリント基板８の裏面に半田付けして固定するようにしてもよい。このようにすると、取付具１をプリント基板８に確実に固定することができるので、電解コンデンサ７も、プリント基板８に安定的に取り付けることができる。
【００２３】
プリント基板８に電解コンデンサ７を取り付けた後においては、図２、図３の２点鎖線、及び図８に示すように、取付具１の壁面４は、ケース９の底面と離間して対向するとともに、安全弁１２の中央部とも離間して対向し、ケース９の底面と壁面４の対向面間には空間Ｓが形成されるようになる。
【００２４】
従って、取付具１にケース９を取り付けても、安全弁１２が取付具１により塞がれることはなく、安全弁１２の機能を充分に発揮することができる。すなわち、ケース９の内圧が上昇した際には、安全弁１２が外方に膨らんで開口することとなるが、安全弁１２と壁面４との間には空間Ｓが形成されているので、安全弁１２は外方に自由に膨らんで開口することができ、従ってケース９内のガスを支障なく放出することができ、安全弁作動時に安全弁の膨れにより、取付具１からケース９が外れることを防止する。
【００２５】
また、ケース９の底面と、壁面４との離間距離は、０．５〜１０ｍｍが好ましい。０．５ｍｍ以下では、コンデンサの内圧上昇時に安全弁の膨らみを妨げてしまうため、安全弁が正常に作動しないおそれがあり、１０ｍｍ以上では、安全弁と壁面の距離が離れすぎてしまうため、安全弁作動時に電解液の飛散を抑制する効果が充分に得られない場合がある。
【００２６】
安全弁１２と対向する位置には取付具１の壁面４があるので、安全弁１２が開口して、ケース９内の電解液が吐出しても、壁面４により受け止められ、電解液が広範囲に飛散するのが防止される。
【実施例２】
【００２７】
図９は、本発明の取付具１ａの実施例２を、上下反転して上方より見た斜視図である。この実施例２の取付具１ａは、全体を合成樹脂により一体成形され、壁面４の外側面に、前記実施例１とは異なる形状の先細り状の固定片１７を設けたものである。すなわち、壁面４の外側面に突設した突部１８の下面（図９では上面）に、先端部（下端部）に拡径係止部１７ａ、１７ａを有する、突軸を二つ割りにしたような固定片１７を下向きに突設してある。
【００２８】
この実施例２の取付具１ａをプリント基板８に取り付けるには、固定片１７を、プリント基板８に設けた円形の係合孔（図示略）に、内向きに弾性変形させつつ嵌合し、係合孔より突出した拡径係止部１７ａを、プリント基板８の裏面において係合孔の開口縁に係止することにより、プリント基板８に簡単に固定することができる。
【実施例３】
【００２９】
図１０は、本発明の取付具１ｂの実施例３を、上下反転して上方より見た斜視図である。この実施例３の取付具１ｂは、ステンレスや鋼等の金属により一体成形したものや、これらの一体成形した金属にスズ、ビスマス、三価クロム、ニッケル等でめっき処理したものであり、壁面４の左右方向の中央部下面（図１０では上面）に、角軸状の固定片１９を一体的に突設させたものである。
【００３０】
この実施例３の取付具１ｂは、図１１に示すように、固定片１９を、プリント基板８に設けた角孔２０に嵌合し、固定片１９の角孔２０よりの突出端部を、プリント基板８の裏面に半田付けするようにしている。これにより、プリント基板８に取付具１ｂを確実に固定することができ、従って、電解コンデンサ７も取付具１ｂを介してプリント基板８に安定的に取り付けることができる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、前記実施例では、取付具本体２を、円弧状をなす前後一対の嵌合板２ａ，２ａよりなるものとしたが、ケース９に外嵌可能な円筒形としてもよい。
【００３３】
また、前記実施例では、壁面４を、安全弁１２の中央部と離間して対向する大きさとしたが、壁面４が安全弁を覆う領域は、安全弁の作動位置を基準に、周囲にケース径の１／４以上の寸法をもって覆っていることが好ましく、また、ケース９の底面とほぼ同じ大きさとしてもよく、更には、前後の連接部３と壁面４とにより形成される上下の開口部を、閉塞板により閉塞してもよい。このようにすると、安全弁１２より吐出した電解液を周囲に飛散するのをより少なくすることができる。
【００３４】
また、前記実施例では、円筒形コンデンサを例示したが、角形コンデンサを用いてもよい。更に、安全弁の形状を略十字形としたが、本発明はこれに限定されるものではなく、例えばＹ字形等にすることもできる。
【符号の説明】
【００３５】
１，１ａ，１ｂ    取付具
２                取付具本体
２ａ              嵌合板
３                連接部
４                壁面
５                固定片
５ａ              係止片
６                当接片
７                電解コンデンサ
８                プリント基板
９                ケース
１０              リード端子
１１              薄肉部
１２              安全弁
１３              長孔
１４              嵌合孔
１５              取付孔
１６              円孔
１７              固定片
１７ａ            拡径係止片
１８              突部
１９              固定片
２０              角孔
Ｓ                空間
【図１】
2012069726.tif 000003
【図２】
2012069726.tif 000004
【図３】
2012069726.tif 000005
【図４】
2012069726.tif 000006
【図５】
2012069726.tif 000007
【図６】
2012069726.tif 000008
【図７】
2012069726.tif 000009
【図８】
2012069726.tif 000010
【図９】
2012069726.tif 000011
【図１０】
2012069726.tif 000012
【図１１】
2012069726.tif 000013